(57)【要約】  【課題】吸込仕事率を低下させることなく内部および排気風を消臭できる集塵パックを提供する。  【解決手段】集塵パック12の袋体18を形成する各フィルタ16，17のうち、最も目が細かくないインナフィルタ16に活性炭を含むことにより、活性炭による通気性の損失を抑制し、電気掃除機の吸込仕事率を低下させることなく集塵パック12の内部および排気風を確実に消臭できるとともに、比較的通気性が大きいインナフィルタ16に含まれる活性炭の表面を空気が効率よく通過するので、消臭効果を向上できる。  【選択図】図１
2006020956.tif 000002
【特許請求の範囲】
【請求項１】
電動送風機の吸込側に配置され、前記電動送風機の駆動により吸い込まれた塵埃を捕集する電気掃除機用集塵容器であって、
目の粗さが異なる複数の濾材で形成された袋体と、
この袋体の最も目の細かい前記濾材以外の前記濾材に含まれる活性炭と
を具備したことを特徴とした電気掃除機用集塵容器。
【請求項２】
請求項１記載の電気掃除機用集塵容器と、
この電気掃除機用集塵容器を収容する掃除機本体と
を具備したことを特徴とした電気掃除機。
【発明の詳細な説明】
【技術分野】
【０００１】
本発明は、電動送風機の駆動により吸い込まれた塵埃を捕集する電気掃除機用集塵容器およびこれを備えた電気掃除機に関する。
【背景技術】
【０００２】
従来、この種の電気掃除機用集塵容器は、電動送風機を収容した掃除機本体を備えている。この掃除機本体には、電動送風機の吸込側に連通して、ホース体、延長管および床ブラシが順次連通接続される。また、掃除機本体内には、電動送風機の吸込側に連通し塵埃を捕集する集塵パックが収容されている。
【０００３】
そして、この集塵パックを２層の濾材で形成し、内側の層に通常の素材を用い、外側の層に活性炭繊維を織り込んだものが知られている（例えば、特許文献１参照。）。
【０００４】
また、複数の濾材の間に、活性炭吸着材料を収容した層を形成した集塵パックも知られている（例えば、特許文献２参照。）。
【特許文献１】特開昭６１−６２４３１号公報（第２−３頁、第２図）
【特許文献２】特表２００２−５３４１４３号公報（第８−１０頁、図３）
【発明の開示】
【発明が解決しようとする課題】
【０００５】
しかしながら、上述の各電気掃除機用集塵容器では、目が細かい外側の濾材の層に活性炭繊維を織り込んだり、濾材の層と層との間に活性炭吸着材料を収容したりしているので、通気性を確保することが容易でなく、吸込仕事率が低下するおそれがあるとともに、内部に捕集された塵埃を確実に消臭することが容易でないという問題点を有している。
【０００６】
本発明は、このような点に鑑みなされたもので、吸込仕事率を低下させることなく内部および排気風を消臭できる電気掃除機用集塵容器およびこれを備えた電気掃除機を提供することを目的とする。
【課題を解決するための手段】
【０００７】
本発明は、電動送風機の吸込側に配置され、電動送風機の駆動により吸い込まれた塵埃を捕集する電気掃除機用集塵容器であって、目の粗さが異なる複数の濾材で形成された袋体と、この袋体の最も目の細かい前記濾材以外の前記濾材に含まれる活性炭とを具備したものである。
【発明の効果】
【０００８】
本発明によれば、目の粗さが異なる複数の濾材で形成された袋体の最も目の細かい濾材以外の濾材に活性炭を含むことにより、活性炭による通気性の損失を抑制し、吸込仕事率を低下させることなく内部および排気風を消臭できるとともに、消臭効果をも向上できる。
【発明を実施するための最良の形態】
【０００９】
以下、本発明の一実施の形態の電気掃除機の構成を図１ないし図４を参照して説明する。
【００１０】
図４において、１は掃除機本体で、この掃除機本体１は、内部に収容された電動送風機２の駆動にて生じる吸気風とともに吸い込んだ塵埃を捕集する。さらに、この掃除機本体１は、上部が開放された下ケース1aと、この下ケース1aの上部に取り付けられる上ケース1bと、下ケース1aの上部を開閉可能に閉塞する蓋体1cとを備えている。
【００１１】
また、この掃除機本体１には、外部から空気を吸引する本体吸込口３が開口されている。この本体吸込口３には、可撓性を有し湾曲可能な細長略円筒状のホース体４が連通接続されている。このホース体４の先端には、電動送風機２の動作モードなどが選択可能な手許操作部５が設けられている。この手許操作部５には、掃除機本体１内の電動送風機２などを複数の駆動モードに設定する複数の設定ボタン６が設けられているとともに、掃除する際に作業者が把持する把持部７が基端側に向けて突設されている。
【００１２】
さらに、この手許操作部５の先端には、伸縮可能な細長略円筒状の延長管８が着脱可能に連通接続されている。またさらに、この延長管８の先端には、例えば室内の床面の絨毯などの上に載置させて、この絨毯上の塵埃を吸い込む吸込口体としての床ブラシ９が着脱可能に連通接続されている。
【００１３】
また、掃除機本体１内には、本体吸込口３の下流側および電動送風機２の吸込側にそれぞれ連通した四角形状の空間部である集塵室11が設けられている。この集塵室11は、蓋体1cにより下ケース1aの上部を開けることで、上部が掃除機本体１の外部に露出する。そして、この集塵室11には、図１および図２に示す電気掃除機用集塵容器としての集塵袋である使い捨て用の集塵パック12が着脱可能に取り付けられる。
【００１４】
この集塵パック12は、四角形板状の口枠15と、この口枠15に取り付けられる濾材としてのインナフィルタ16および濾材としてのアウタフィルタ17で形成され塵埃を内部に収容する袋体18とを備え、袋状に形成されている。そして、この集塵パック12は、偏平に折り畳まれた状態で集塵室11に取り付けられ、電動送風機２の駆動により吸い込まれた空気が通過すると集塵室11内で膨らみ、袋体18の内部に塵埃を収容する。
【００１５】
口枠15は、集塵パック12を集塵室11に取り付ける際に集塵室11内に固定される被固定部となるもので、例えば厚紙などで形成され、中央部に円形状の開口部21が開口形成されている。そして、この開口部21は、集塵パック12の吸込口となるもので、集塵パック12を集塵室11に取り付けた際に、本体吸込口３の吸込側に連通して集塵室11内に突出した図示しない連通管が挿入されて接続される。
【００１６】
また、口枠15の集塵パック12の内側には、塵埃の逆流防止用の弁体22が取り付けられている。この弁体22は、例えばゴムなどで設けられ、開口部21から一部が臨み、かつ、開口部21と同心状に挿入口23が設けられている。この挿入口23は、開口部21の内径寸法、あるいは連通管の外径寸法よりも若干小さい内径寸法を有している。そして、弁体22は、連通管が挿入口23に挿入されることでこの連通管の外周面に内周縁部が当接して連通管との隙間をシールする。
【００１７】
また、各フィルタ16，17は、例えば紙、布、あるいはウレタンの繊維などでそれぞれ膜状に形成され、インナフィルタ16を内側、アウタフィルタ17を外側として積層され、集塵パック12を２層に形成している。さらに、アウタフィルタ17は、インナフィルタ16よりも目が細かく形成されている。そして、各フィルタ16，17は、それぞれ口枠15および弁体22などに、接着剤を介して貼着されている。
【００１８】
インナフィルタ16は、図３に示すように、インナフィルタ16を構成する繊維16aに、活性炭25が塗布されている。なお、この活性炭25は、本実施の形態では、インナフィルタ16に塗布されているが、例えばインナフィルタ16の繊維16aに含浸させたり、あるいはインナフィルタ16の繊維16aをコーティングしたりする構成も可能である。
【００１９】
また、アウタフィルタ17は、本実施の形態では、袋体18を構成する濾材のなかで最も目が細かいもので、このアウタフィルタ17の目の大きさにより、袋体18の通気性が決定されている。さらに、このアウタフィルタ17は、少なくとも表面が黒系に着色されている。
【００２０】
次に、上記一実施の形態の作用を説明する。
【００２１】
まず、掃除機本体１の蓋体1cを開け、集塵室11を露出させた後、口枠15を集塵室11内の図示しない固定部に固定して集塵パック12の袋体18を集塵室11内に配置させ、蓋体1cを閉めて、手元操作部５の所定の設定ボタン６を押して電動送風機２を所定の駆動モードで駆動させる。
【００２２】
さらに、床ブラシ９を床面に載置させ、この床面上を前後に走行させて床面上の塵埃を空気とともに吸い込む。
【００２３】
床ブラシ９から空気とともに吸い込まれた塵埃は、延長管８、ホース体４および本体吸込口３を順次通過して集塵パック12内へと、開口部21および挿入口23から流入する。
【００２４】
そして、比較的大きい塵埃は、集塵パック12内に収容されるとともに、微細な塵埃すなわち細塵は、空気が集塵パック12の各フィルタ16，17を通過する際に、これらフィルタ16，17に捕集される。
【００２５】
この後、塵埃を捕集された空気は、インナフィルタ16を通過する際にこのインナフィルタ16に含まれる活性炭25により臭気を吸着されつつ、電動送風機２の吸込側へと吸い込まれ、図示しない排気口から掃除機本体１の外部へと排気される。
【００２６】
また、集塵パック12内に収容された塵埃から発生する臭気は、インナフィルタ16に含まれる活性炭25により吸着される。
【００２７】
そして、集塵パック12内に所定量の塵埃が溜まると、蓋体1cを開けて集塵用紙パック12を集塵室11から取り外して塵埃とともに廃棄し、新たな集塵パック12を集塵室11に配置して蓋体1cを閉め、電気掃除機を再度使用する。
【００２８】
上述したように、上記一実施の形態によれば、集塵パック12の袋体18を形成する各フィルタ16，17のうち、最も目が細かくないもの、すなわちインナフィルタ16に活性炭25を含むことにより目が細かいものに活性炭を含ませる場合と比較して、活性炭25による通気性の損失を抑制し、電気掃除機の吸込仕事率を低下させることなく集塵パック12の内部および排気風を確実に消臭できる。
【００２９】
同時に、インナフィルタ16は、比較的通気性が大きいため、このインナフィルタ16に含まれる活性炭25の表面を空気が効率よく通過するので、比較的目が細かいフィルタに活性炭を含ませる場合と比較して、消臭効果を向上できる。
【００３０】
また、集塵パック12の内部を確実に消臭できることで、集塵パック12の外部に臭気が漏れることを防止でき、袋体18の内部に塵埃の収容スペースが残った状態で臭気によってのみ集塵パック12を交換しなければならないことなどを抑制し、集塵パック12を有効に利用できるなど、使い勝手を向上できる。
【００３１】
さらに、アウタフィルタ17の少なくとも表面を活性炭25の色である黒系に着色することで、活性炭25を使用しているというイメージを作業者に持たせることができ、集塵パック12を視覚的に訴求できる。
【００３２】
なお、上記一実施の形態において、袋体18を構成する濾材は、３層以上としてもよい。この場合には、例えば外側に位置する濾材の目を内側に位置する濾材の目よりも細かくし、最も外側に位置した濾材以外の任意の濾材に活性炭25を含ませる構成とすることで、上記一実施の形態と同様の作用効果を奏することが可能となる。
【００３３】
また、電気掃除機としては、キャニスタ型の電気掃除機に限らず、床ブラシ９が掃除機本体１の下面に直接形成されたアップライト型、その他、掃除機本体１と床ブラシ９とが一体化された自走式の電気掃除機あるいはハンディ型などであっても対応させて用いることができる。
【図面の簡単な説明】
【００３４】
【図１】本発明の一実施の形態の電気掃除機用集塵容器を示す縦断面図である。
【図２】同上電気掃除機用集塵容器を示す斜視図である。
【図３】同上電気掃除機用集塵容器を拡大して示す説明図である。
【図４】同上電気掃除機用集塵容器を備えた電気掃除機を示す斜視図である。
【符号の説明】
【００３５】
１    掃除機本体
２    電動送風機
12    電気掃除機用集塵容器としての集塵パック
16    濾材としてのインナフィルタ
17    濾材としてのアウタフィルタ
18    袋体
25    活性炭
【図１】
2006020956.tif 000003
【図２】
2006020956.tif 000004
【図３】
2006020956.tif 000005
【図４】
2006020956.tif 000006